(57)【要約】【課題】この発明は、記録媒体に対してコンテンツをデジタル記録再生する際に、不正な再生やコピー等を実用的なレベルで防止することを可能としたファイル管理装置及びファイル管理方法を提供することを目的としている。【解決手段】コンテンツを記録媒体２２に記録する際に、コンテンツが収められる第１のファイルに含まれる情報から所定の演算によって生成される識別情報を、コンテンツの関連情報が収められる第２のファイルに書き込む。コンテンツのコピーが要求された際には、第１のファイルに含まれる情報から所定の演算によって算出された識別情報と、第２のファイルに書き込まれている識別情報とを比較し、両者が一致していない場合、コンテンツの再生及びコピーを一切禁止する。【選択図】    図１
2006023839.tif 000002
【特許請求の範囲】
【請求項１】
コンテンツとそのコンテンツに対するコピーの可否を示す制限情報を含む関連情報とを受信し、前記コンテンツが収められた第１のファイルと、前記関連情報が収められた第２のファイルとを記録媒体に記録するファイル管理装置において、
前記第１のファイルに含まれる情報に所定の演算処理を施すことにより識別情報を算出する演算手段と、
前記演算手段により算出された識別情報を前記第２のファイルに書き込む記録手段とを具備することを特徴とするファイル管理装置。
【請求項２】
コンテンツが収められた第１のファイルと、前記コンテンツに対するコピーの可否を示す制限情報を含む関連情報と前記第１のファイルに含まれる情報に所定の演算処理を施すことにより算出される識別情報とが収められた第２のファイルを記録する記録媒体と、
前記記録媒体から前記第１のファイルに含まれる情報を取得し、該情報に所定の演算処理を施すことにより識別情報を算出する演算手段と、
前記演算手段により算出された識別情報と前記第２のファイルに書き込まれた識別情報とを比較し、両識別情報が一致しない場合、前記第１のファイルに収められた前記コンテンツの再生を禁止する制御手段とを具備することを特徴とするファイル管理装置。
【請求項３】
前記演算手段は、前記第１のファイルのファイル名を示す情報と、前記関連情報に含まれる契約情報とを乗算して、前記識別情報を算出することを特徴とする請求項１または２記載のファイル管理装置。
【請求項４】
コンテンツとそのコンテンツに対するコピーの可否を示す制限情報を含む関連情報とを受信し、前記コンテンツが収められた第１のファイルと、前記関連情報が収められた第２のファイルとを記録媒体に記録するファイル管理装置において、
前記第１のファイルに含まれる情報に所定の演算処理を施すことにより識別情報を算出する第１の演算手段と、
前記第１の演算手段により算出された識別情報を前記第２のファイルに書き込む記録手段と、
前記記録媒体から前記第１のファイルに含まれる情報を取得し、該情報に所定の演算処理を施すことにより識別情報を算出する第２の演算手段と、
前記第２の演算手段により算出された識別情報と前記記録手段により第２のファイルに書き込まれた識別情報とを比較し、両識別情報が一致しない場合、前記第１のファイルに収められた前記コンテンツの再生を禁止する制御手段とを具備することを特徴とするファイル管理装置。
【請求項５】
コンテンツとそのコンテンツに対するコピーの可否を示す制限情報を含む関連情報とを受信する受信手段と、
前記受信手段で受信した前記コンテンツが収められた第１のファイルと、前記関連情報が収められた第２のファイルとを記録媒体に記録する記録手段と、
前記第１のファイルに含まれる情報に所定の演算処理を施すことにより識別情報を算出する第１の演算手段と、
前記第１の演算手段により算出された識別情報を前記第２のファイルに書き込む書き込み手段と、
前記記録媒体から前記第１のファイルに含まれる情報を取得し、該情報に所定の演算処理を施すことにより識別情報を算出する第２の演算手段と、
前記第２の演算手段により算出された識別情報と前記記録手段により第２のファイルに書き込まれた識別情報とを比較し、両識別情報が一致しない場合、前記第１のファイルに収められた前記コンテンツの再生を禁止する制御手段とを具備することを特徴とするファイル管理装置。
【請求項６】
コンテンツとそのコンテンツに対するコピーの可否を示す制限情報を含む関連情報とを受信し、前記コンテンツが収められた第１のファイルと、前記関連情報が収められた第２のファイルとを記録媒体に記録するファイル管理装置において、
前記第１のファイルに含まれる情報に所定の演算処理を施すことにより識別情報を算出する第１の工程と、
算出された識別情報を前記第２のファイルに書き込む第２の工程と、
前記記録媒体から前記第１のファイルに含まれる情報を取得し、該情報に所定の演算処理を施すことにより識別情報を算出する第３の工程と、
前記第３の工程により算出された識別情報と前記第２の工程により第２のファイルに書き込まれた識別情報とを比較し、両識別情報が一致しない場合、前記第１のファイルに収められた前記コンテンツの再生を禁止する第４の工程とを具備することを特徴とするファイル管理方法。
【請求項７】
コンテンツとそのコンテンツに対するコピーの可否を示す制限情報を含む関連情報とを受信する第１の工程と、
受信した前記コンテンツが収められた第１のファイルと、前記関連情報が収められた第２のファイルとを記録媒体に記録する第２の工程と、
前記第１のファイルに含まれる情報に所定の演算処理を施すことにより識別情報を算出する第３の工程と、
算出された識別情報を前記第２のファイルに書き込む第４の工程と、
前記記録媒体から前記第１のファイルに含まれる情報を取得し、該情報に所定の演算処理を施すことにより識別情報を算出する第５の工程と、
前記第５の工程により算出された識別情報と前記第４の工程により第２のファイルに書き込まれた識別情報とを比較し、両識別情報が一致しない場合、前記第１のファイルに収められた前記コンテンツの再生を禁止する第６の工程とを具備することを特徴とするファイル管理方法。
【発明の詳細な説明】
【技術分野】
【０００１】
この発明は、記録媒体に対してデジタル記録再生されるコンテンツを管理するためのファイル管理装置及びファイル管理方法に係り、特にそのコンテンツの不正なコピーを防止するようにしたものに関する。
【背景技術】
【０００２】
周知のように、現在では、放送衛星または通信衛星を利用したデジタル放送システムが実現されており、携帯型の放送受信端末のような移動体を主なサービス対象としたモバイル放送も開始されている。
【０００３】
そして、このようなデジタル放送を受信する機器では、受信した放送コンテンツをＳＤ（Secure Digital）メモリカード等の着脱可能な記録媒体にデジタル記録することが可能となっている。
【０００４】
この場合、受信機器では、記録するコンテンツに対して、記録した機器でしか再生することができないような暗号化処理を施してデジタル記録するという、いわゆる機器縛りの制約を設定することより、著作権の保護を行なっている。
【０００５】
しかしながら、記録媒体に対してコンテンツをデジタル記録再生する場合の著作権保護対策は、まだまだ開発途上にある段階であり、機器縛りの制約だけでは実用に十分に適する解決策になっているとは言えないのが現状である。
【０００６】
特許文献１には、メモリカードにそれを個別に識別するための情報を保持させ、メモリカードに格納されたデータを使用する際は、個別情報を必要とするようにすることによって、著作権の保護を行なう技術が開示されている。
【特許文献１】特開２０００−１１２８２４号公報
【発明の開示】
【発明が解決しようとする課題】
【０００７】
そこで、この発明は上記事情を考慮してなされたもので、記録媒体に対してコンテンツをデジタル記録再生する際に、不正なコピー等を実用的なレベルで防止することを可能としたファイル管理装置及びファイル管理方法を提供することを目的とする。
【課題を解決するための手段】
【０００８】
この発明に係るファイル管理装置は、コンテンツとそのコンテンツに対するコピーの可否を示す制限情報を含む関連情報とを受信し、コンテンツが収められた第１のファイルと、関連情報が収められた第２のファイルとを記録媒体に記録するものを対象としている。
【０００９】
そして、第１のファイルに含まれる情報に所定の演算処理を施すことにより識別情報を算出する第１の演算手段と、第１の演算手段により算出された識別情報を第２のファイルに書き込む記録手段と、記録媒体から第１のファイルに含まれる情報を取得し、該情報に所定の演算処理を施すことにより識別情報を算出する第２の演算手段と、第２の演算手段により算出された識別情報と記録手段により第２のファイルに書き込まれた識別情報とを比較し、両識別情報が一致しない場合、第１のファイルに収められたコンテンツの再生を禁止する制御手段とを備えるようにしたものである。
【００１０】
また、この発明に係るファイル管理方法は、上記の対象において、第１のファイルに含まれる情報に所定の演算処理を施すことにより識別情報を算出する第１の工程と、算出された識別情報を第２のファイルに書き込む第２の工程と、記録媒体から第１のファイルに含まれる情報を取得し、該情報に所定の演算処理を施すことにより識別情報を算出する第３の工程と、第３の工程により算出された識別情報と第２の工程により第２のファイルに書き込まれた識別情報とを比較し、両識別情報が一致しない場合、第１のファイルに収められたコンテンツの再生を禁止する第４の工程とを備えるようにしたものである。
【発明の効果】
【００１１】
上記した発明によれば、コンテンツを記録媒体に記録する際に、コンテンツが収められる第１のファイルに含まれる情報から所定の演算によって生成される識別情報を、コンテンツの関連情報が収められる第２のファイルに書き込んでおき、コンテンツのコピーが要求された際には、第１のファイルに含まれる情報から所定の演算によって算出された識別情報と、第２のファイルに書き込まれている識別情報とを比較し、両者が一致していない場合、コンテンツの再生及びコピーを一切禁止するようにしている。このため、コンテンツを記録した機器でしか再生することができない、いわゆる機器縛りの制約だけでは防ぐことができなかった不正なコピーを実用的なレベルで防止することが可能となる。
【発明を実施するための最良の形態】
【００１２】
以下、この発明の実施の形態について図面を参照して詳細に説明する。図１は、この実施の形態で説明するモバイル放送対応の携帯型の放送受信端末１１を示している。すなわち、内蔵アンテナ１２で受信したデジタル放送信号は、チューナ部１３に供給されて所望のチャンネルのＴＳ（Transport Stream）が選局される。
【００１３】
このチューナ部１３で選局されたＴＳは、ＴＳデコーダ１４に供給されて誤り訂正処理が施された後、番組に相当するコンテンツが復調される。そして、ＴＳデコーダ１４で復調されたコンテンツは、セレクタ１５を介して信号処理部１６に供給されることにより、アナログの映像信号と音声信号とが復元され、視聴再生部１７により映像表示及び音声再生される。
【００１４】
また、上記ＴＳデコーダ１４で復調されたコンテンツは、セレクタ１５によりデジタル出力端子１８に導かれる。これにより、ＴＳデコーダ１４で復調されたコンテンツを、デジタル出力端子１８に接続された外部の記録再生機器１９に供給し、デジタル記録することができる。
【００１５】
さらに、上記ＴＳデコーダ１４で復調されたコンテンツは、記録再生制御部２０に供給されている。この記録再生制御部２０は、装着部２１に装着されたＳＤメモリカード２２に対してコンテンツのデジタル記録を行なうように機能する。
【００１６】
また、この記録再生制御部２０は、装着部２１に装着されたＳＤメモリカード２２からコンテンツを読み出す機能を有する。そして、記録再生制御部２０によりＳＤメモリカード２２から読み出されたコンテンツは、セレクタ１５を介して信号処理部１６に供給されることにより、アナログの映像信号と音声信号とが復元され、視聴再生部１７により映像表示及び音声再生される。
【００１７】
さらに、記録再生制御部２０によりＳＤメモリカード２２から読み出されたコンテンツは、セレクタ１５によりデジタル出力端子１８に導かれ、デジタル出力端子１８に接続された外部の記録機器１９でのデジタル記録、つまり、コピーに供される。
【００１８】
ここで、この放送受信端末１１は、上記した各種の受信動作や記録再生動作を含むその全ての動作を制御部２３によって統括的に制御されている。この制御部２３は、ＣＰＵ（Central Processing Unit）等を内蔵しており、操作部２４からの操作情報を受けて、その操作内容が反映されるように各部をそれぞれ制御している。
【００１９】
この場合、制御部２３は、メモリ部２５を利用している。すなわち、このメモリ部２５は、主として、制御部２３のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００２０】
図２は、上記ＳＤメモリカード２２内におけるコンテンツの記録状態を示している。この場合、ＳＤメモリカード２２に対して、記録動作が開始されてから停止されるまでの１記録期間に記録されたコンテンツが１つのファイルとなる。これにより、ＳＤメモリカード２２内には、複数（図示の場合は２つ）のファイル２６，２７が格納されていくことになる。
【００２１】
そして、１つのファイル２６は、上記１記録期間に得られたＴＳを収めたＴＳ本体ファイル２６ａと、記録開始及び終了時間等を示す情報を収めたインデックスファイル２６ｂと、コピーの可否を示す制限情報、契約情報、ＴＳ本体ファイル２６ａのコンテンツに関連する情報（例えば番組名等）を収めたデータベースファイル２６ｃとから構成されている。なお、データベースファイル２６ｃに収められる各種の情報は、コンテンツとともに放送されている。
【００２２】
なお、他のファイル２７も同様に、上記１記録期間に得られたＴＳを収めたＴＳ本体ファイル２７ａと、記録開始及び終了時間等を示す情報を収めたインデックスファイル２７ｂと、コピーの可否を示す制限情報、契約情報、ＴＳ本体ファイル２７ａのコンテンツに関連する情報（例えば番組名等）を収めたデータベースファイル２７ｃとから構成されている。
【００２３】
そして、現状では、ファイル２６について、そのファイル名が「ＡＡ」である場合、ＴＳ本体ファイル２６ａのファイル名を「ＡＡ．ｘｘ」とし、インデックスファイル２６ｂのファイル名を「ＡＡ．ｙｙ」とし、データベースファイル２６ｃのファイル名を「ＡＡ．ｚｚ」としている。
【００２４】
また、ファイル２７については、そのファイル名が「ＢＢ」である場合、ＴＳ本体ファイル２７ａのファイル名を「ＢＢ．ｘｘ」とし、インデックスファイル２７ｂのファイル名を「ＢＢ．ｙｙ」とし、データベースファイル２７ｃのファイル名を「ＢＢ．ｚｚ」としている。
【００２５】
すなわち、ＴＳ本体ファイル２６ａ，２７ａについては、ファイル名が異なり同じ拡張子（．ｘｘ）が付され、インデックスファイル２６ｂ，２７ｂについては、ファイル名が異なり同じ拡張子（．ｙｙ）が付され、データベースファイル２６ｃ，２７ｃについては、ファイル名が異なり同じ拡張子（．ｚｚ）が付される構成となっている。
【００２６】
そして、ユーザが操作部２４を操作して、ファイル名「ＡＡ」のファイル２６の再生を要求したとする。すると、制御部２３は、記録再生制御部２０に対して、ＳＤメモリカード２２からファイル名として「ＡＡ」の付されたファイル２６ａ，２６ｂ，２６ｃを読み取るように指示し、ＴＳ本体ファイル２６ａに収められたコンテンツをファイル２６ｂ，２６ｃに収められた情報に基づいて再生するように制御する。
【００２７】
ただし、データベースファイル２６ｃにコピーの不可を示す制限情報が収められている場合には、制御部２３は、ＴＳ本体ファイル２６ａに収められたコンテンツの外部出力を行なわないように各部を制御する。一例としては、セレクタ１５に対して、コンテンツを出力端子１８に出力させないように制御する。
【００２８】
ところで、今、データベースファイル２６ｃにコピーの不可を示す制限情報が収められており、データベースファイル２７ｃにコピーの許可を示す制限情報が収められているとする。
【００２９】
すると、通常の場合、データベースファイル２６ｃの制限情報に基づいて、ＴＳ本体ファイル２６ａに押されられているコンテンツのコピーが不可能となり、データベースファイル２７ｃの制限情報に基づいて、ＴＳ本体ファイル２７ａに収められているコンテンツのコピーが可能となるように制御される。
【００３０】
しかしながら、ＳＤメモリカード２２を装着部２１から外し、例えばＰＣ（Personal Computer）等に接続して、図３に示すように、データベースファイル２６ａのファイル名を「ＣＣ．ｚｚ」に書き替え、データベースファイル２７ａのファイル名を「ＡＡ．ｚｚ」に書き替えたとする。
【００３１】
この状態で、ＳＤメモリカード２２を装着部２１に装着し、ユーザが操作部２４を操作して、ファイル名「ＡＡ」のファイル２６の再生を要求したとする。すると、制御部２３は、記録再生制御部２０に対して、ＳＤメモリカード２２からファイル名として「ＡＡ」の付されたファイルを読み取るように指示する。この場合、ＴＳ本体ファイル２６ａとインデックスファイル２６ｂとデータベースファイル２７ｃとが読み取られる。
【００３２】
このため、制御部２３は、ＴＳ本体ファイル２６ａに収められたコンテンツを、データベースファイル２７ｃに収められたコピーを許可する制限情報に基づいて、信号処理部１６及び出力端子１８に出力させてコピーが行なえるように制御してしまうことになる。
【００３３】
すなわち、本来であれば、データベースファイル２６ｃの制限情報に基づいて、コピーが許可されていないＴＳ本体ファイル２６ａに収められたコンテンツが、他のデータベースファイル２７ｃの制限情報に基づいて、コピーが可能な状態となってしまい、不正なコピーが行なえるようになる。
【００３４】
そこで、この実施の形態では、以下のようにして不正なコピーを防止するようにしている。すなわち、受信したコンテンツをＳＤメモリカード２２に記録する場合には、制御部２３の制御に基づいて、記録再生制御部２０が、例えばＴＳ本体ファイル２６ａとインデックスファイル２６ｂとデータベースファイル２６ｃとを作成し、これらのファイル２６ａ〜２６ｃを１つのファイル２６としてＳＤメモリカードに記録している。
【００３５】
この場合、制御部２３は、コンテンツが収められるＴＳ本体ファイル２６ａに含まれる情報として、例えばそのファイル名を示す情報から所定の演算によって生成可能な識別情報を算出し、その識別情報を対応するデータベースファイル２６ｃに書き込んでおくように制御する。
【００３６】
そして、制御部２３は、ファイル２６に収められたコンテンツのコピーが要求された際には、ＴＳ本体ファイル２６ａのファイル名を示す情報から所定の演算によって識別情報を算出し、その算出された識別情報とデータベースファイル２６ｃに書き込まれている識別情報とを比較する。
【００３７】
その結果、一致した場合に、制御部２３は、ＴＳ本体ファイル２６ａとデータベースファイル２６ｃとが正しく対応していると判断し、データベースファイル２６ｃに収められた制限情報に基づいて、ＴＳ本体ファイル２６ａに収められているコンテンツのコピーを制御する。
【００３８】
また、識別情報の比較結果が一致していない場合、制御部２３は、ＴＳ本体ファイル２６ａとデータベースファイル２６ｃとが正しく対応していないと判断し、つまり、不正に改竄された可能性があると判断して、ＴＳ本体ファイル２６ａに収められているコンテンツの再生及びコピーを一切禁止するように制御する。
【００３９】
一例としては、上記セレクタ１５に対して、ＴＳ本体ファイル２６ａに収められているコンテンツを信号処理部１６及び出力端子１８に出力することを禁止するように制御している。これにより、コンテンツの視聴や記録再生機器１９によるコピーが行なえなくなるように制御される。
【００４０】
上記した実施の形態によれば、コンテンツをＳＤメモリカード２２に記録する際に、コンテンツが収められるＴＳ本体ファィル２６ａのファイル名を示す情報から所定の演算によって生成される識別情報をデータベースファイル２６ｃに書き込んでおき、コンテンツのコピーが要求された際には、ＴＳ本体ファイル２６ａのファイル名を示す情報から所定の演算によって算出された識別情報と、データベースファイル２６ｃに書き込まれている識別情報とを比較し、両者が一致していない場合、コンテンツの再生及びコピーを一切禁止するようにしている。
【００４１】
このため、コンテンツを記録した機器でしか再生することができない、いわゆる機器縛りの制約だけでは防ぐことができなかった不正なコピーを実用的なレベルで防止することが可能となる。
【００４２】
図４は、コンテンツをＳＤメモリカード２２に記録する際の主要な動作をまとめたフローチャートを示している。すなわち、処理が開始（ステップＳ１）され、ステップＳ２で、ユーザによりコンテンツの記録が要求されると、制御部２３は、ステップＳ３で、コンテンツが収められるＴＳ本体ファイル２６ａのファイル名を示す情報を取得し、ステップＳ４で、契約情報を取得する。
【００４３】
そして、制御部２３は、ステップＳ５で、ＴＳ本体ファイル２６ａのファイル名を示す情報と契約情報とを乗算して識別情報を算出し、ステップＳ６で、ＴＳ本体ファイル２６ａ、インデックスファイル２６ｂ、データベースファイル２６ｃを作成し、ＳＤメモリカード２２に記録する。その後、制御部２３は、ステップＳ７で、算出した識別情報をデータベースファイル２６ｃに書き込んで、記録処理を終了（ステップＳ８）する。
【００４４】
図５は、コンテンツをＳＤメモリカード２２から再生する際の主要な動作をまとめたフローチャートを示している。すなわち、処理が開始（ステップＳ９）され、ステップＳ１０で、ユーザによりコンテンツの再生が要求されると、制御部２３は、ステップＳ１１で、ＴＳ本体ファイル２６ａからそのファイル名を示す情報を読み取るとともに、データベースファイル２６ｃから契約情報とを読み取る。
【００４５】
その後、制御部２３は、ステップＳ１２で、読み取ったファイル名を示す情報と契約情報とを乗算して識別情報を算出し、ステップＳ１３で、データベースファイル２６ｃから既に書き込まれている識別情報を読み取る。
【００４６】
そして、制御部２３は、ステップＳ１４で、算出した識別情報と読み取った識別情報とが一致しているか否かを判別し、一致していると判断された場合（ＹＥＳ）、ステップＳ１５で、データベースファイル２６ｃに記録されているコピーの可否を示す制限情報に基づいて、ＴＳ本体ファイル２６ａのコンテンツのコピーを制御し、処理を終了（ステップＳ１７）する。
【００４７】
また、上記ステップＳ１４で算出した識別情報と読み取った識別情報とが一致していないと判断された場合（ＮＯ）、制御部２３は、ステップＳ１６で、ＴＳ本体ファイル２６ａからのコンテンツの再生及びコピーを禁止し、処理を終了（ステップＳ１７）する。
【００４８】
ここで、上記ステップＳ１６において、コンテンツの再生及びコピーを禁止する場合には、制御部２３は、その旨を示すメッセージを、視聴再生部１７によりＯＳＤ（On Screen Display）機能を用いて映像表示させるようにすることが可能である。
【００４９】
また、識別情報は、ＴＳ本体ファイル２６ａのファイル名を示す情報と契約情報とを乗算して算出するようにしている。この場合、契約情報には、それぞれの放送受信端末１１に固有のＩＤ情報が含まれている。このため、再生時には、記録した機器か否かを判別することができ、ファイルの暗号化を正しく、解けたとしてもそのファイルが壊れているかどうかの判別を行なうことが可能となる。
【００５０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５１】
【図１】この発明の実施の形態を示すもので、放送受信端末を説明するために示すブロック構成図。
【図２】同実施の形態における放送受信端末によってＳＤメモリカードに記録されるファイルを説明するために示す図。
【図３】ＳＤメモリカードに記録されたファイルが不正に改竄される具体例を説明するために示す図。
【図４】同実施の形態における放送受信端末の主要な記録動作を説明するために示すフローチャート。
【図５】同実施の形態における放送受信端末の主要な再生動作を説明するために示すフローチャート。
【符号の説明】
【００５２】
１１…放送受信端末、１２…内蔵アンテナ、１３…チューナ部、１４…ＴＳデコーダ、１５…セレクタ、１６…信号処理部、１７…視聴再生部、１８…デジタル出力端子、１９…記録再生機器、２０…記録再生制御部、２１…装着部、２２…ＳＤメモリカード、２３
…制御部、２４…操作部、２５…メモリ部、２６，２７…ファイル。
【図１】
2006023839.tif 000003
【図２】
2006023839.tif 000004
【図３】
2006023839.tif 000005
【図４】
2006023839.tif 000006
【図５】
2006023839.tif 000007